(57)【要約】個々の紙巻タバコの煙特性、特に煙の排出量を監視することができ、かつこのような情報又は別の情報を遠く離れた位置又は／及び消費者に伝えることができる紙巻タバコ監視装置。この装置は紙巻タバコ監視手段と、流体流圧力降下手段及び煙濃度検出手段と、データ伝送手段と、データ受信処理手段と、処理されたデータを表示するための手段とから成る。本発明の表示手段は、喫煙者に興味がある情報を表示し、消費者に直接販売するサービスを提供する。
2004532045.tif 000002
【特許請求の範囲】
【請求項１】
マウスピースから成り、紙巻タバコがその吸い口で取り付けられる紙巻タバコ取り付け手段と、前記取り付け手段にこの紙巻タバコが取り付けられると前記マウスピースは、紙巻タバコの吸い口端と流体流連通する；
前記取り付け手段と一体の流体流圧力降下検出手段及び煙濃度検出手段と；
前記取り付け手段の位置に前記流体流圧力降下検出手段及び前記煙濃度検出手段より得られたデータを伝送するデータ伝送手段と；
前記伝送手段により伝送されたデータを受信し処理するデータ受信処理手段と、前記処理手段によって行われる処理は、前記取り付け手段に取り付けられ前記マウスピースを介して喫煙される紙巻タバコから発生する粒子相煙成分の排出量を算出することから構成される；
前記受信処理手段からの処理データを表示する表示手段と；
から成る紙巻タバコ監視装置。
【請求項２】
前記データ伝送手段が非導線電磁波手段によりデータを伝送することを特徴とする、請求項１記載の紙巻タバコ監視装置。
【請求項３】
前記データ伝送手段が前記紙巻タバコ取り付け手段と一体であることを特徴とする、請求項１、２、２０、２１又は２２記載の紙巻タバコ監視装置。
【請求項４】
前記表示手段が前記データ受信処理手段と一体であることを特徴とする、請求項１、２又は３記載の紙巻タバコ監視装置。
【請求項５】
前記紙巻タバコ監視装置が第２伝送手段を含んでいることを特徴とする、請求項１、２、３又は４記載の紙巻タバコ監視装置。
【請求項６】
前記第２伝送手段が前記データ受信処理手段によるデータ処理から得られた処理出力データを伝送することを特徴とする、請求項５記載の紙巻タバコ監視装置。
【請求項７】
前記第２伝送手段が非導線電磁波手段により処理出力データを伝送することを特徴とする、請求項６記載の紙巻タバコ監視装置。
【請求項８】
前記第二伝送手段がケーブル又はワイヤーを介して処理出力データを伝送することを特徴とする、請求項６記載の紙巻タバコ監視装置。
【請求項９】
前記紙巻タバコ監視装置が前記紙巻タバコ取り付け手段の位置で受信手段及びそれに対応した表示手段を含んでいることを特徴とする、請求項６、７又は８記載の紙巻タバコ監視装置。
【請求項１０】
前記受信手段が前記第２伝送手段から伝送される処理データを非導線で受信することを特徴とする、請求項９記載の紙巻タバコ監視装置。
【請求項１１】
前記受信手段が前記第２伝送手段から伝送される処理データを導線を介して受信することを特徴とする、請求項９記載の紙巻タバコ監視装置。
【請求項１２】
前記表示手段が前記処理データを表示することを特徴とする、請求項９、１０又は１１記載の紙巻タバコ監視装置。
【請求項１３】
前記紙巻タバコ取り付け手段の前記位置にある前記表示手段が、前記データ受信処理手段に対応する前記表示手段を補足することを特徴とする、請求項９記載の紙巻タバコ監視装置。
【請求項１４】
前記紙巻タバコ取り付け手段の前記位置にある前記表示手段が、前記対応する受信手段と一体であることを特徴とする、請求項９乃至１３いずれか１項記載の紙巻タバコ監視装置。
【請求項１５】
前記表示手段及び前記受信手段が前記紙巻タバコ取り付け手段と一体であることを特徴とする、請求項１４記載の紙巻タバコ監視装置。
【請求項１６】
前記紙巻タバコ監視装置がデータ入力手段を含むことを特徴とする、請求項５乃至１５いずれか１項記載の紙巻タバコ監視装置。
【請求項１７】
前記入力手段がデータ、音声及び／又は画像データを受信することを特徴とする、請求項１６又は２６乃至３０いずれか１項記載の紙巻タバコ監視装置。
【請求項１８】
前記入力手段が入力されたデータを前記第２伝送手段に供給することを特徴とする、請求項１７記載の紙巻タバコ監視装置。
【請求項１９】
前記取り付け手段の前記位置にある前記表示手段が音声を再生することを特徴とする、請求項１７又は１８記載の紙巻タバコ監視装置。
【請求項２０】
マウスピースから成り、紙巻タバコがその吸い口で取り付けられる紙巻タバコ取り付け手段と、前記取り付け手段にこの紙巻タバコが取り付けられると前記マウスピースは、紙巻タバコの吸い口端と流体流連通する；
前記取り付け手段と一体の流体流圧力降下検出手段及び煙濃度検出手段と；
前記取り付け手段の位置において、前記流体流圧力降下検出手段及び前記煙濃度検出手段より得られたデータを処理するためのデータ処理手段と、前記処理手段によって行われる処理は前記取り付け手段に取り付けられ、前記マウスピースを介して喫煙される紙巻タバコから発生する粒子相煙成分の排出量を算出することから成る；
前記取り付け手段の位置において、前記処理手段で処理された出力データを伝送するデータ伝送手段と；
前記伝送手段からの処理された出力データを受信するデータ受信手段と；
前記受信手段からの処理データを表示する表示手段と；
から成る紙巻タバコ監視装置。
【請求項２１】
前記データ伝送手段が非導線電磁波手段により前記処理された出力データを伝送することを特徴とする、請求項２０記載の紙巻タバコ監視装置。
【請求項２２】
前記処理手段が前記紙巻タバコ取り付け手段と一体であることを特徴とする、請求項２０又は２１記載の紙巻タバコ監視装置。
【請求項２３】
前記表示手段が前記データ受信手段と一体であることを特徴とする、請求項２０乃至２２いずれか１項記載の紙巻タバコ監視装置。
【請求項２４】
前記紙巻タバコ監視装置が前記処理手段の位置において第２表示手段を含み、前記第２表示手段が前記処理手段から得られた処理データを表示することを特徴とする、請求項２０乃至２３いずれか１項記載の紙巻タバコ監視装置。
【請求項２５】
前記紙巻タバコ監視装置がさらに第２伝送手段と、前記紙巻タバコ取り付け手段の位置において第２データ受信手段及びそれに対応して表示する第２表示手段と、データ入力手段とを含んでいることを特徴とする、請求項２０乃至２４いずれか１項記載の紙巻タバコ監視装置。
【請求項２６】
前記入力手段がデータ、音声及び／又は画像データを受信し、かつ前記第２受信手段に伝送するための前記第２伝送手段へ入力されたデータを供給し、それから入力されたデータが前記第２表示手段により表示できることを特徴とする、請求項２５記載の紙巻タバコ監視装置。
【請求項２７】
前記入力されたデータが非導線電磁波手段により伝送されることを特徴とする、請求項２６記載の紙巻タバコ監視装置。
【請求項２８】
前記入力されたデータがケーブル又はワイヤーを介して伝送により伝送されることを特徴とする、請求項２６記載の紙巻タバコ監視装置。
【請求項２９】
前記マウスピースが前記紙巻タバコの吸い口端と気体流連通することを特徴とする、請求項２０乃至２８いずれか１項記載の紙巻タバコ監視装置。
【請求項３０】
前記対応した表示手段が紙巻タバコの排出量に関連の無い別の情報を喫煙者に対して表示することを特徴とする、請求項９乃至１９いずれか１項記載の紙巻タバコ監視装置。
【請求項３１】
前記第２表示手段が紙巻タバコの排出量に関連の無い別の情報を喫煙者に対して表示することを特徴とする、請求項２５乃至２９いずれか１項記載の紙巻タバコ監視装置。
【請求項３２】
前記対応した表示手段が同じ又は代替製品を喫煙者に直接販売するサービスを提供していることを表示でき、又は他の製品やサービスの中にそれに関連した喫煙品やサービスが無いことを表示できることを特徴とする、請求項９乃至１９又は３０いずれか１項記載の紙巻タバコ監視装置。
【請求項３３】
前記第２表示手段が同じ又は代替製品を喫煙者に直接販売するサービスを提供していることを表示でき、又は他の製品やサービスの中にそれに関連した喫煙品やサービスが無いことを表示できることを特徴とする、請求項２５乃至２９いずれか１項記載の紙巻タバコ監視装置。
【請求項３４】
前記監視装置又はその一部が、携帯電話に組み込まれるか又は部材を共有することを特徴とする、先行請求項のいずれか１項記載の紙巻タバコ監視装置。
【請求項３５】
前記携帯電話が前記伝送手段か、前記受信手段か、前記表示手段か、前記第２伝送手段か、前記第２表示手段か、前記第２受信手段か、前記データ入力手段かのどれか１つ以上を組み込み又は部材を共有することを特徴とする、請求項３４記載の紙巻タバコ監視装置。
【発明の詳細な説明】
【技術分野】
【０００１】
本発明は、紙巻タバコを機械ではなく人間が吸った際の、紙巻タバコの主流煙の性状を監視するための紙巻タバコ監視装置に関する。
【背景技術】
【０００２】
シガレットホルダーから成る種々の紙巻タバコ監視装置が、タバコ業界では知られており、このような装置では紙巻タバコがその吸い口でシガレットホルダーに取り付けられ。このホルダーはマウスピースと一体となっており、マウスピースを介してホルダーに取り付けられた紙巻タバコを喫煙者が吸うことができ、このマウスピースは紙巻タバコの吸い口端と流体流連通している。流体流圧力降下検出手段と煙濃度検出手段が、紙巻タバコの吸い口端とマウスピースの間に配されている。このような公知の紙巻タバコの監視装置は、さらにデータ処理ユニットを含んでおり、紙巻タバコのホルダーは流体流検出手段の管と煙濃度検出手段の電気リード線によりこのユニットと接続されている。しかしながら、このような装置では、実際に喫煙した時の煙の排出量に関する値は得られず、単にリアルタイムの吸煙における排出量の概要を記録する手段にすぎない。
【発明の開示】
【発明が解決しようとする課題】
【０００３】
本発明の目的は、改良された紙巻タバコ監視装置を提供することである。
【課題を解決するための手段】
【０００４】
本発明の第一の態様では、紙巻タバコ監視装置は、
マウスピースから成り紙巻タバコをその吸い口端で監視装置に取り付ける紙巻タバコ取り付け手段と、このマウスピースは取り付け手段にこの紙巻タバコを取り付けた際、吸い口端と流体流連通する；
この取り付け手段と一体の流体流圧力降下検出手段及び煙濃度検出手段と；
この取り付け手段の位置において、この流体流圧力降下検出手段及びこの煙濃度検出手段より得られたデータを伝送するために作動するデータ伝送手段と；
この伝送手段により伝送されたデータを受信し処理するために作動するデータ受信処理手段と、この処理手段によって行われる処理はこの取り付け手段に取り付けられ、このマウスピースを介して喫煙される紙巻タバコから発生する粒子相煙成分の排出量を算出することから構成される；
この受信処理手段からの処理データを表示する表示手段とから成る。
【０００５】
データ伝送手段は導線を用いない（以下、非導線とする）電磁波手段によりデータを送ることが好ましい。
【０００６】
データ伝送手段は紙巻タバコ取り付け手段と一体であることが好ましい。
【０００７】
表示手段はデータ受信処理手段と一体であると有利である。
【０００８】
紙巻タバコ監視装置は第２伝送手段を含んでも良く、第２伝送手段はデータ受信処理手段によるデータ処理結果から得られた出力データを伝送できる。紙巻タバコ監視装置がこのような第２伝送手段を含んでいる場合、紙巻タバコ監視装置はまた、紙巻タバコ取り付け手段の位置で受信手段及びこれに対応した表示手段を含み、この受信手段は第２伝送手段から導線を介さず又は介して伝送される処理データを受信し、これに対応した表示手段は、この処理データを表示できる。
【０００９】
紙巻タバコ監視装置が上記第２伝送手段を含む場合、紙巻タバコ取り付け手段の位置にある表示手段は、データ受信処理手段と対応する表示手段として補足的に使用すると有利である。紙巻タバコ取り付け手段の位置にある表示手段は、対応する受信手段と一体であることが好適であり、その場合両方とも取り付け手段と一体であることが好適である。
【００１０】
紙巻タバコ監視装置が上記第２伝送手段を含む場合、紙巻タバコ監視装置はまた、データ入力手段を含み、そのデータ入力手段はデータ、音声及び／又は画像データを受信でき、さらに入力されたデータを第２伝送手段に供給する。もし入力されたデータが音声データならば、紙巻タバコ取り付け手段の位置にある表示手段は、音声を再生するよう作動しなければならない。
【００１１】
第２伝送手段は、出力された処理データを非導線電磁波手段により伝送するのが好ましい。これとは別に、伝送は例えば電話線等のケーブル又は導線を介して伝送しても良い。
【００１２】
本発明の第２の態様では、
マウスピースから成り、紙巻タバコをその吸い口で監視装置に取り付ける紙巻タバコ取り付け手段と、このマウスピースは取り付け手段にこの紙巻タバコを取り付けた際、吸い口端と流体流連通する；
この取り付け手段と一体の流体流圧力降下検出手段及び煙濃度検出手段と；
この取り付け手段の位置において、この流体流圧力降下検出手段及びこの煙濃度検出手段より得られたデータを処理するためのデータ処理手段と、この処理手段によって行われる処理は、この取り付け手段に取り付けられこのマウスピースを介して喫煙される紙巻タバコから発生する粒子相煙成分の排出量を算出することから構成される；
この取り付け手段の位置において、この処理手段から処理された出力データを伝送するために使用できるデータ伝送手段と；
この伝送手段からの処理されたデータを受信するためのデータ受信手段と；
この受信手段からの処理データを表示するための表示手段とから成る紙巻タバコ監視装置を提供する。
【００１３】
データ伝送手段は非導線電磁波手段によりデータを伝送するのが好ましい。
【００１４】
本発明の第２の態様による紙巻タバコ監視装置では、処理手段は紙巻タバコ取り付け手段と一体であることが好ましい。また、データ伝送手段も紙巻タバコ取り付け手段と一体であることが好ましい。
【００１５】
本発明の第２の態様による紙巻タバコ監視装置では、表示手段はデータ受信手段と一体であることが好ましい。
【００１６】
本発明の第２の態様による紙巻タバコ監視装置では、処理手段の位置において第２表示手段を含んでも良く、この第２表示手段は処理手段から得られた処理データを表示する。
【００１７】
本発明の第２の態様による紙巻タバコ監視装置では、第２伝送手段と、紙巻タバコ取り付け手段の位置において第２データ受信手段及びこれに対応して表示する第２表示手段と、データ入力手段とを含んでも良く、その入力手段はデータ、音声及び／又は画像データを受信でき、かつ入力されたデータを第２伝送手段に供給し、この第２伝送手段は第２受信手段に入力されたデータを非導線伝送し、それから入力されたデータは第２表示手段により表示可能になる。
【００１８】
マウスピースは紙巻タバコの吸い口端と気体流連通することが好ましい。
【００１９】
喫煙者にリアルタイムで喫煙状況を助言することに加えて、本発明のいずれの態様において、紙巻タバコ監視装置と関連した第２表示手段は、喫煙者が関心を持つ情報、例えば消費者が興味を持っている喫煙品製造会社の代替品に関する情報を表示し、かつそれに加えて又はそれとは別に、同じ又は代替品を喫煙者に直接販売するサービス又は、喫煙品ではないもしくはそれとは関係の無い他の製品又はサービスのための手段を提供する。
【００２０】
当業者であれば容易に理解されるように、本発明の監視装置は葉巻のようなすべての喫煙品又は、煙濃度検出手段により評価され、「煙」と称される粒子状物質を発生するすべての別の喫煙品装置に使用することができる。
【００２１】
本発明を明確に理解し、容易に実施できるように、添付図面を参照して本発明を例示する。
【００２２】
図１の紙巻タバコ監視装置は、紙巻タバコ取り付け手段１と監視手段２とから構成され、図１の装置に使用時には、監視手段２は紙巻たばこ取り付け手段１から離れた位置、例えば数十又は数百ヤードに位置する。その距離はマイルで計測されるような距離でも良い。
【００２３】
紙巻たばこ取り付け手段１は、一端に中空スリーブ４が固定され、もう一方の端にマウスピースホルダー５が固定されたハウジング３から成る。紙巻タバコ６は、スリーブ４に取り付けることができ、使い捨てマウスピース７はホルダー５に取り付けることができる。そのような紙巻タバコ及びそのようなマウスピースがハウジング３に取り付けられることによって、マウスピースはハウジング３の中空内部を介して紙巻タバコと流体流連通し、これにより紙巻タバコはマウスピースを介して喫煙できる。
【００２４】
ハウジング３の中に取り付けられているのはオリフィス板８であり、オリフィス板８の両側にそれぞれ圧力検出器９と１０が取り付けられている。また、ハウジング３の中には、光エミッター１１とその向かい側に光受信機１２が取り付けられている。
【００２５】
紙巻たばこ取り付け手段１には、データ伝送モジュール１３が固定式に又は取り外し自在に取り付けられている。モジュール１３は、圧力検出器９と１０からの圧力信号及び、光受信機１２からの光信号を受信でき、さらにこれらの圧力及び光に関する信号から得られたデータを、監視手段２に伝送できる。この伝送は、導線を介さず、すなわち非導線電磁波手段によって行われ、例えば高周波伝送も可能である。
【００２６】
監視手段２は、データ受信処理モジュール１４とそれと一体になっている表示モジュール１５とから成る。モジュール１４は上記モジュール１３から伝送されたデータを受信でき、このデータを処理できる。データの処理は、ハウジング３のスリーブ４に取り付けられ、紙巻タバコ６はハウジング３のホルダー５に取り付けられたマウスピース７を介して喫煙され、その紙巻タバコ６の主流煙（一般的にはタールとして知られている）の粒子相成分の排出量のリアルタイム値を提示し又は含む。
【００２７】
例えばタールのリアルタイム値のような上記の処理データは、例えば表示モジュール１５の表示スクリーン上に表示できる。
【００２８】
当業界で通常の技能及び知識を持つ当業者であれば容易に理解できるように、ハウジング３の中のオリフィス板８に亘る圧力差は、検出器９と１０からの圧力信号から得ることができ、圧力差からスリーブ４に取り付けられた紙巻タバコ６からの主流煙の流速の瞬間値が算出できる。同じように、光受信機１２によって記録され、主流煙の光エミッター１１によって放射される光の曇らせ具合によって、煙の瞬間的な濃度の値、すなわち煙中の粒子相成分の濃度を決定することができる。時間に亘って積分された（integrated）流速と濃度値を組み合わせることによって、１パフあたりのタールの排出量を容易に得られる。
【００２９】
モジュール１４により受信されたデータが非導線電磁波手段によりモジュール１３から伝送される際、紙巻タバコ取り付け手段１及び伝送モジュール１３から成るユニットは、管（圧力検出器９，１０のための）及びそこから延びるワイヤー（光受信器１２のための）は必要としない。もちろん、もし特定の状況において適しているのであれば、非導線伝送データを最初に中間受信手段（図示せず）に受信させ、そのデータをそれから導線手段（図示せず）によってデータ受信処理モジュール１４に伝送しても良い。
【００３０】
図２に示した紙巻タバコ監視装置は、これから以下に説明する機能モジュールをさらに追加したことによって図１を改良した装置である。図２において図１に対応する部材には、図１と同じ参照番号を付してある。
【００３１】
図１の装置には無い、図２の装置を構成する機能モジュールは以下の通りである。
（１）第２伝送モジュール１６
（２）第２受信モジュール１７
（３）第２表示モジュール１８
（４）データ入力モジュール１９
【００３２】
第２伝送モジュール１６は、受信処理モジュール１４から出力された処理データを非導線電磁波手段で伝送できる。この非導線伝送はモジュール１６から直接発せられるのが好ましい。しかしながら、特定の状況において適しているのであれば、非導線伝送はデータを中間伝送手段（図示せず）から発信させることができ、この場合処理されたデータはモジュール１６から導線手段、例えば電気導体を使う手段（図示せず）によって中間伝送手段に伝送される。
【００３３】
図２のブロック図に示したように、第２伝送モジュール１６は、監視手段２の一部を構成する。
【００３４】
紙巻タバコ取り付け手段１の位置またはその近くに配されている第２受信モジュール１７は、第２伝送モジュール１６からの非導線伝送を受信する。
【００３５】
第２表示モジュール１８は、第２伝送モジュール１６から伝送され、第２受信モジュール１７により受信した処理データを表示できる。
【００３６】
第２表示モジュール１８は、第２受信モジュール１７と一体であることが好ましく、これらモジュール１７，１８は両方とも紙巻たばこ取り付け手段１の構成部品と一体であるのが好適である。
【００３７】
処理モジュール１４では、圧力センサー９、１０及び光受信器１２から得られたデータは、図１の装置の処理モジュール１４による処理結果と同等の結果が得られる。
【００３８】
データ入力モジュール１９は、オペレーターによって入力されたデータ、音声及び／又は画像データを受信でき、その入力されたデータを第２伝送モジュール１６に供給できる。従って、監視手段２の位置にいるオペレーターは、マウスピース７を介して紙巻タバコ６を喫煙している人、又はたった今喫煙した人とコミュニケートできる。もちろん、もし入力されたデータが音声又は音声から得られるデータの形態を取るならば、第２表示モジュール１８は、音声を再生する。
【００３９】
第２表示モジュールは、同様の煙成分又は少ない煙成分を発生する代替製品を表示しても良い。これとは別に又はこれに加えて、第２表示モジュールは商品（喫煙品又はそうではない）を直接購入することができる販売サービスを消費者に提供しても良い。本発明のいずれかの態様を利用することにより、商取引が成立する。
【００４０】
データ入力モジュール１９は、監視手段２の構成部材のひとつである。
【００４１】
モジュール１７，１８を含んだ紙巻タバコ取り付け手段１は、携帯電話（図示せず）に組み込んでも良く、この場合伝送モジュール１３は電話の伝送手段であるか又はそれと構成部材を共有し、受信モジュール１７は電話の受信手段であるか又はそれと構成部材を共有し、表示モジュール１８は電話の表示手段であるか又はそれと構成部材を共有する。
【００４２】
モジュール１４〜１６と１９を含む監視手段２は、携帯電話（図示せず）に組み込んでも良く又は一部を形成しても良く、この場合受信モジュール１４は電話の受信手段であるか又はそれと構成部材を共有し、表示モジュール１５は電話の表示手段であるか又はそれと構成部材を共有し、伝送モジュール１６は電話の伝送手段であるか又はそれと構成部材を共有し、入力モジュール１９は電話の入力手段であるか又はそれと構成部材を共有する。当然のことながら、電話の入力手段の機能は電話の使用者によりダイヤルされた電話番号を記録することである。
【００４３】
図３の紙巻タバコ監視装置は図１に示した装置の変形例である。それゆえ共通の部品には共通の参照符号を付してある。
【００４４】
図３の装置の監視手段２は、その構成部材として図２に示すような受信処理モジュール１４を含んでいないが、受信モジュール２１を含んでいる。図３に示す受信モジュール２１は、表示モジュール１５と一体である。図３の装置の処理機能は、紙巻たばこ取り付け手段１と一体となっている処理モジュール２０が行う。また、伝送モジュール１３も紙巻たばこ取り付け手段１と一体になっている。
【００４５】
従って、紙巻タバコ６がマウスピース７を介して喫煙されている図３の装置の作動中において、圧力センサー９，１０及び光受信器１２から得られたデータは、先に図１の装置の処理モジュール１４について説明したのと同じように、処理モジュール２０により処理される。処理モジュール２０で処理されたデータの出力は、非導線方式で伝送モジュール１３から伝送され、受信モジュール２１で受信され、それから表示モジュール１５により表示される。
【００４６】
当業者であれば容易に理解されるように、ちょうど図１の装置と比較することで図２の装置にモジュール１６〜１９を組み込んだように、これらと同じ種類で同じ役割効果のモジュール１６〜１９を図３に示した装置中に組み込むことができる。
【００４７】
さらに、もしモジュール１６〜１９を図３の装置にそのように組み込んだ場合、その装置の組立品１にはモジュール１７と１８とが含まれ、携帯電話に組み込んでも良い。同様に、組立品２にはモジュール１６と１９とが含まれ、携帯電話に組み込んでも良い。
【図面の簡単な説明】
【００４８】
【図１】第一の紙巻タバコ監視装置を示すブロック図である。
【図２】図１を変形した第２の紙巻タバコ監視装置を示すブロック図である。
【図３】図１の装置の別な変形例である第３の紙巻タバコ監視装置を示すブロック図である。
【国際公開パンフレット】
2004532045.tif 000003
2004532045.tif 000004
2004532045.tif 000005
2004532045.tif 000006
2004532045.tif 000007
2004532045.tif 000008
2004532045.tif 000009
2004532045.tif 000010
2004532045.tif 000011
2004532045.tif 000012
2004532045.tif 000013
2004532045.tif 000014
2004532045.tif 000015
2004532045.tif 000016
2004532045.tif 000017
2004532045.tif 000018
2004532045.tif 000019
2004532045.tif 000020
2004532045.tif 000021
2004532045.tif 000022
【国際公開パンフレット（コレクトバージョン）】
2004532045.tif 000023
2004532045.tif 000024
【国際調査報告】
2004532045.tif 000025
2004532045.tif 000026